(57)【要約】無線通信ネットワークと関連づけられたアクセスポイントの位置を決定するための方法及び装置は、既知の位置における、アクセスポイントから送信された信号の位相測定値を用いて前記アクセスポイントの前記位置を計算する。幾つかの側面においては、前記アクセスポイントによって送信された信号からの位相測定値とＧＰＳ情報が併用されて該アクセスポイントの位置が決定される。【選択図】図４
2010523055.tif 000002
【特許請求の範囲】
【請求項１】
無線通信ネットワークにおけるアクセスポイントの位置をアクセス端末において決定する方法であって、
前記アクセスポイントによって送信された信号を前記アクセス端末において受信することと、
前記信号によって網羅されたエリア内の複数の位置にわたって前記アクセス端末を移動させることと、
前記複数の位置の各々における前記信号の位相を前記アクセス端末において決定することと、
前記決定された位相に基づいて前記アクセスポイントの位置を前記アクセス端末において決定すること、とを備える、方法。
【請求項２】
前記位相決定は、
前記決定された位相に基づいて前記複数の位置の各々から前記アクセスポイントまでの距離を決定することを備える請求項１に記載の方法。
【請求項３】
前記アクセスポイントによって送信された前記信号は、パイロット信号である請求項１に記載の方法。
【請求項４】
前記位相決定は、
前記アクセスポイントに割り当てられた疑似雑音（ＰＮ）符号に関連する変動を決定することを備える請求項１に記載の方法。
【請求項５】
前記アクセスポイントの前記位置を決定することは、全地球測位ネットワーク（ＧＰＳ）情報を用いることをさらに備える請求項１に記載の方法。
【請求項６】
前記複数の位置は、衛星と関連づけられた測定値から導き出された既知の位置である請求項１に記載の方法。
【請求項７】
前記複数の位置は、慣性航法情報から導き出された既知の位置である請求項１に記載の方法。
【請求項８】
前記方法は、アクセス端末、ラップトップコンピュータ及びＰＤＡのうちの少なくとも１つによって実行される請求項１に記載の方法。
【請求項９】
無線通信ネットワークにおけるアクセスポイントの位置を決定するための装置であって、
アクセスポイントによって送信された信号を受信するように適合化された受信機と、
前記信号によって網羅されたエリア内の複数の位置の各々における前記信号の位相を決定するように適合化された位相決定モジュールと、
前記決定された位相に基づいて前記アクセスポイントの位置を決定するように適合化された位置決定モジュールと、を備え、前記複数の位置にわたって移動可能である、装置。
【請求項１０】
前記位相決定モジュールは、前記決定された位相に基づいて前記複数の位置の各々から前記アクセスポイントまでの距離を決定するようにさらに適合化される請求項９に記載の装置。
【請求項１１】
前記アクセスポイントによって送信された前記信号は、パイロット信号である請求項９に記載の装置。
【請求項１２】
前記位相決定モジュールは、前記アクセスポイントに割り当てられた疑似雑音（ＰＮ）符号に関連する変動を決定するようにさらに適合化される請求項９に記載の装置。
【請求項１３】
前記受信機は、ＧＰＳ情報を受信し、
前記位置モジュールは、前記ＧＳＰ情報に基づいて前記アクセスポイントの前記位置を決定するように構成される請求項９に記載の装置。
【請求項１４】
前記複数の位置は、衛星と関連づけられた測定値から導き出された既知の位置である請求項９に記載の装置。
【請求項１５】
前記複数の位置は、慣性航法情報から導き出された既知の位置である請求項９に記載の装置。
【請求項１６】
前記装置は、アクセス端末、ラップトップコンピュータ及びＰＤＡのうちの少なくとも１つを備える請求項９に記載の装置。
【請求項１７】
無線通信ネットワークにおけるアクセスポイントの位置を決定するための装置であって、
アクセスポイントによって送信された信号を受信するための手段と、
前記信号によって網羅されたエリア内の複数の位置の各々における前記信号の位相を決定するための手段と、
前記決定された位相に基づいて前記アクセスポイントの前記位置を決定するための手段と、を備え、前記複数の位置にわたって移動可能である、装置。
【請求項１８】
前記位相決定手段は、前記決定された位相に基づいて前記複数の位置の各々から前記アクセスポイントまでの距離をさらに決定する請求項１７に記載の装置。
【請求項１９】
前記受信手段によって受信された前記信号は、パイロット信号である請求項１７に記載の装置。
【請求項２０】
前記位相決定手段は、前記アクセスポイントに割り当てられた疑似雑音（ＰＮ）符号に関連する変動をさらに決定する請求項１７に記載の装置。
【請求項２１】
前記受信手段は、ＧＰＳ情報を受信し、
前記位置決定手段は、前記ＧＳＰ情報に基づいて前記アクセスポイントの前記位置を決定する請求項１７に記載の装置。              
【請求項２２】
前記複数の位置は、衛星と関連づけられた測定値から導き出された既知の位置である請求項１７に記載の装置。
【請求項２３】
前記複数の位置は、慣性航法情報から導き出された既知の位置である請求項１７に記載の装置。
【請求項２４】
前記装置は、アクセス端末、ラップトップコンピュータ及びＰＤＡのうちの少なくとも１つを備える請求項１７に記載の装置。
【請求項２５】
無線通信ネットワークと関連づけられたアクセスポイントの位置を決定するためのコンピュータプログラム製品であって、
請求項１乃至８に記載のステップを実行するために少なくとも１つのコンピュータによって実行可能な符号を備えるコンピュータによって読み取り可能な媒体を備える、コンピュータプログラム製品。
【請求項２６】
請求項９に記載の装置を備える無線通信ネットワークと関連づけられたアクセスポイントの位置を決定するためのアクセス端末。
【発明の詳細な説明】
【技術分野】
【０００１】
本開示は、無線通信ネットワークに関するものである。本開示は、より具体的には、無線通信ネットワークと関連づけられたアクセスポイント（以後“ＡＰ”）の位置を決定することに関するものである。
【背景技術】
【０００２】
無線通信ネットワークにおいては、無線通信インフラストラクチャに関する最適な構成、構築及び動作パラメータを決定する必要がある。例えば、陸上無線トランシーバ等のアクセスポイントに関する適切な配置位置、動作周波数、放射電力、符号割り当て、ハンドオフしきい値及び動作周波数を決定する必要がある。現在は、無線通信ネットワーク計画立案は、事前の分析、後続する経験的検証、試験及びネットワーク調整を要し、これらは、長時間を要しかつ高コストであり、ネットワーク計画立案専門家及び精巧なツールが要求される。
【０００３】
幾つかの環境及び用途、例えば、軍事上及び緊急上の用途、においては、関連するネットワークに関する多大な時間と労力を要する手作業での計画立案を経るための十分な時間及び／又は資源を有することなしに追加のアクセスポイント、交換用アクセスポイント又は独立型の自律式無線インフラストラクチャアクセスポイントを展開することが必要になることがある。伝統的なネットワーク計画立案は、アクセスポイントから送信された無線信号によって網羅されるエリアに焦点を合わせる一方で、容量及びアクセスポイントによってサポートされる同時ユーザー数により大きい重点が置かれる。さらに、幾つかの環境及び用途、例えば軍事上及び緊急上の用途、においては、各々の新しいアクセスポイントによって網羅されるエリアを特定することが最終目標である。そのために、該アクセスポイントの位置を知るべきである。
【０００４】
従って、無線通信ネットワークと関連づけられたアクセスポイントの位置を決定するための方法及び装置を提供する必要性が存在する。
【発明の概要】
【０００５】
この開示の側面例の概要が後続する。便宜上、この開示の１つ以上の側面は、単純に“幾つかの側面”と呼ばれることがある。
【０００６】
この出願は、幾つかの側面においては、無線通信ネットワークと関連づけられたアクセスポイントの位置を決定することに関連する。そのために、移動可能なアクセスポイントによって送信された信号が受信される。その後は、受信された信号の位相が複数の位置の各々において決定され、それにより、前記決定された位相に基づいて前記アクセスポイントの位置を決定することができる。
【図面の簡単な説明】
【０００７】
この開示のこれらの側面及びその他の特徴、側面及び利点は、以下の発明を実施するための形態、添付された請求項及び添付図面を参照して検討されたときにより完全に理解されるであろう。
【図１】無線通信ネットワークトポロジーを示した図である。
【図２】無線通信ネットワークトポロジーの一定の側面を示した図である。
【図３】無線通信内において展開させる必要がある少なくとも１つの移動アクセスポイントを示した図である。
【図４】無線通信ネットワークトポロジーの幾つかの側面を示した図である。
【図５】装置及び該装置によって位置が決定可能なアクセスポイントの典型的詳細を示した図である。
【図６】ここにおいて開示される典型的方法を示す機能ブロック図である。
【図７】無線通信ネットワークにおけるアクセスポイントの位置を決定することができる典型的な構造上の構成要素を示した機能ブロック図である。
【０００８】
共通の慣行により、図面において例示される様々な特徴は、原寸どおりに描かなくてもよい。従って、様々な特徴の寸法は、明確化することを目的として任意に拡大又は縮小することができる。さらに、図面の一部は、明確化を目的として単純化することができる。従って、これらの図面は、所定の装置又は方法のすべての構成要素を描かない場合がある。最後に、本明細書及び図全体を通じて類似の特徴を表すために同様の参照数字を用いることができる。
【発明を実施するための形態】
【０００９】
この開示の様々な側面が以下において説明される。ここにおける教示は非常に様々な形態で具現化できること及びここにおいて開示される特定の構造、機能、又はその両方は単なる代表例であるにすぎないことが明確なはずである。ここにおける教示に基づき、当業者は、ここにおいて開示される側面はその他の側面と無関係に実装できること及びこれらの側面のうちの２つ以上を様々な方法で組み合わせることができることを明確に理解するはずである。例えば、ここにおいて詳述される側面のうちのあらゆる数の側面を用いて装置を実装することができ又は方法を実践することができる。さらに、ここにおいて詳述される側面のうちの１つ以上に加えての又はそれ以外のその他の構造、機能、又は構造と機能を用いて該装置を実装でき又は該方法を実践することができる。
【００１０】
以下の説明においては、側面について徹底的に理解できるようにすることを目的として具体的な詳細が示される。しかしながら、該側面は、これらの具体的な詳細なしで実践できることが当業者によって理解されるであろう。例えば、回路は、これらの側面を不必要に詳細にすることで曖昧にしないようにするためにブロック図で示すことができる。その他の例においては、これらの側面を曖昧にしないようにするためによく知られた回路、構造及び技術は詳細には示されない。
【００１１】
さらに、側面は、流れ図、流れ線図、構造図、又はブロック図として描かれるプロセスとして説明できることが注目される。流れ図は、動作を順次プロセスとして説明することができるが、これらの動作の多くは、並行して又は同時に実行することができる。さらに、動作順は、変更することができる。プロセスは、その動作が完了された時点で終了される。プロセスは、メソッド、関数、手順、サブルーチン、サブプログラム、等に対応することができる。プロセスが関数に対応するときには、その終了は、関数が呼び出し関数又は主関数に戻ることに対応する。
【００１２】
さらに、ここにおいて開示されるように、“記憶媒体”は、データを格納するための１つ以上のデバイスを表すことができ、読み取り専用メモリ（ＲＯＭ）、ランダムアクセスメモリ（ＲＡＭ）、磁気ディスク記憶媒体、光学記憶媒体、フラッシュメモリデバイス及び／又は情報を記憶するためのその他のコンピュータによって読み取り可能な媒体を含む。“コンピュータによって読み取り可能な媒体”という用語は、命令及び／又はデータを格納、内蔵又は搬送することができるポータブルの又は固定された記憶デバイス、光学記憶デバイス、無線チャネル及びその他の様々な媒体を含むがこれらに限定されない。
【００１３】
さらに、側面は、ハードウェア、ソフトウェア、ファームウェア、ミドルウェア、マイクロコード、又はそのいずれかの組み合わせによって実装することができる。ソフトウェア、ファームウェア、ミドルウェア又はマイクロコード内に実装されるときには、必要なタスクを実行するためのプログラムコード又はコードセグメントは、記憶媒体等のコンピュータによって読み取り可能な媒体内に格納することができる。コードセグメントは、手順、関数、サブプログラム、プログラム、ルーチン、サブルーチン、モジュール、ソフトウェアパッケージ、クラス、又は、命令、データ構造、又はプログラムステートメントの組合せを表すことができる。コードセグメントは、情報、データ、引数、パラメータ、又はメモリ内容を渡す及び／又は受け取ることによって他のコードセグメント又はハードウェア回路と結合させることができる。情報、引数、パラメータ、データ、等は、メモリを共有する、メッセージを渡す、トークンを渡す、ネットワーク送信、等を含むあらゆる適切な手段を用いて渡す、転送する、又は送信することができる。
【００１４】
以下において開示されるデバイス又は装置の１つ以上の要素又は側面は、そのデバイスの動作に影響を及ぼさずに再変更できることが当業者にとって明確なはずである。同様に、以下において開示されるデバイスの１つ以上の要素は、そのデバイスの動作に影響を与えずに組み合わせることができる。
【００１５】
図１は、典型的な通信ネットワークトポロジー１００を示す。通信ネットワーク１００は、基地局トランシーバ（ＢＴＳ）、等の幾つかのアクセスポイントが１つの基地局コントローラ（ＢＳＣ）によってサポートされており、逆に様々なＢＳＣが１つのモバイルスイッチセンター（ＭＳＣ）によってサポートされるインフラストラクチャトポロジーを示す。この型のネットワークに関するネットワーク計画立案は、以下のステップの一部又は全部を含むことができる。
【００１６】
・対象となるカバレッジエリアの地形図が解析される
・地形及び容量に関する要求事項を位置の関数として考慮することによって候補アクセスポイント配置位置及びその他のネットワークパラメータが選択される。
【００１７】
・シミュレーションソフトウェアが実行されてネットワークの性能及び容量が解析される。
【００１８】
・パラメータ及び位置が調整され、シミュレーションが再実行される。
【００１９】
・ネットワーク構築後において、走行試験が行われてネットワークのカバレッジ、容量及び性能の妥当性が検査される。
【００２０】
・走行試験データが解析される。
【００２１】
各ステップは、繰り返すことができる。
【００２２】
図１に示されるトポロジーは、インフラストラクチャ構成要素の利用可能性、位置、能力、等の点で静的であることができる。該ネットワークに関する計画立案では、精巧なツールを用いた専門家による長時間のオフラインでの解析及び後続する通信ネットワーク計画立案を行ってカバレッジ及び容量上の要求を満たすようにネットワークを設計することが要求される。このネットワークの設計及び計画立案は、１年以上を要する可能性があり、構成及びネットワーク構築後は、ネットワークの性能を最適化及び検証することを目的とする走行試験が行われる。走行試験は、典型的には、カバレッジエリア全体にわたって車を走らせ、ネットワーク内のアクセスポイントによって送信された信号を受信できるアクセス端末又はデバイスを用いてデータを収集することによって行われる。収集されたデータは、通常はリアルタイム又はオフラインで処理される。緊急応答通信、軍事通信、等をサポートする展開の場合は、通信サポートが迅速な性質を有することに起因してこのネットワーク計画立案プロセス全体を省略することができる。
【００２３】
図２に関して、多元接続無線通信ネットワークが示される。多元接続無線通信ネットワーク２００は、複数のセル２０２、２０４、及び２０６を備える。これらのセル２０２、２０４及び２０６は、アクセスポイント２４２、２４４及び２４６をそれぞれ備えることができ、各アクセスポイントは、複数のセクターと関連づけることができる。複数のセクターは、各々がセルの一部分におけるアクセス端末との通信を担当するアンテナから成るグループによって形成することができる。例えば、セル２０２においては、アンテナグループ２１２、２１４及び２１６が存在し、これらのアンテナグループの各々は、異なるセクターに対応する。セル２０４においては、アンテナグループ２１８、２２０、及び２２２が存在し、これらのアンテナグループの各々は、異なるセクターに対応する。同様に、セル２０６においては、アンテナグループ２２４、２２６及び２２８が存在し、これらのアンテナグループの各々は、異なるセクターに対応する。
【００２４】
各アクセス端末２３０、２３２、２３４、２３６、２３８、又は２４０は、同じセル内の各々の互いのアクセス端末に関して、各々のセルの異なる部分に位置することが図２からわかる。さらに、各アクセス端末は、通信可能な形で結合される対応するアンテナグループから異なる距離の地点に存在することができる。
【００２５】
ここにおいて用いられるアクセスポイントは、少なくとも１つのアクセス端末と直接通信可能な形で結合されるインフラストラクチャノードであることができ及び例えばＢＴＳ又は無線基地局（ＲＢＳ）と呼ぶこともできるか又はＢＴＳ又は無線基地局（ＲＢＳ）と関連づけられた機能の一部又は全部を含むこともできる。アクセス端末は、ユーザー装置（ＵＥ）、無線通信デバイス、端末、移動局、パーソナルデジタルアシスタント（ＰＤＡ）、ラップトップコンピュータ、ハンドセット、前述されるデバイスのうちの１つと同様の機能を有するあらゆるデバイス又はその組み合わせと呼ぶこともでき、及びこれらと関連づけられた機能の一部又は全部を含むことができる。
【００２６】
図３は、発明の幾つかの側面を実装するための無線通信ネットワークトポロジー３００を示す。通信ネットワーク３００は、各アクセスポイントが完全自蔵型であることができる、すなわち、各々がＢＴＳ、ＢＳＣ、ＭＳＣ、又はその組み合わせと関連づけられた全機能を有することができる動的インフラストラクチャトポロジーを示す。
【００２７】
幾つかの側面においては、アクセスポイントは、互いに分離された状態で動作していることができる。例えば、車両搭載ＢＴＳは、急速な又は急速に変化し続ける展開をサポートするためにすべて自分自身で（自律的に）無線通信カバレッジを提供することができる。この場合は、各々の分離されたアクセスポイントは完全自蔵型であり、例えばＢＴＳ、ＢＳＣ及びＭＳＣと関連づけられた完全自律無線ネットワーク機能及び／又は自律的動作をサポートするためのその他の機能を有する。このシナリオは、緊急通信サポートを必要とする人口が疎らな地域又は農村地域において、自然災害、等よって影響を受けている既存の無線通信インフラストラクチャを有する地域に単一の又は少数のアクセスポイントを展開できる場合において、又は付近にネットワークは存在しないが軍用車両の運転者によって用いられるアクセス端末のためのカバレッジが必要である砂漠に類似する地域において当てはまる。
【００２８】
幾つかの側面においては、アクセスポイント３０２、３０４、３０６、３０８は、静止型又は移動型であることができ、都市部における商業セルラーネットワークと同様に、広域にわたる連続的な無線通信カバレッジを提供するために同調した状態で動的に動作中であるが、動的に変化するトポロジーにおいては、アクセスポイントは、ＢＳＣ及びＭＳＣ機能を要求することができる。一般的には、１つのＢＳＣが１つのグループのアクセスポイントをサポートする必要がある。しかしながら、無線通信サポートが存在しない農村地域又はその他の地域においては、急速に展開されるアクセスポイントは、ＢＳＣ及びＭＳＣの機能を要求すること及び含むことができる。
【００２９】
幾つかの側面においては、図３に示されるように、例えば移動物体に搭載され、自蔵モードにおいてその他のアクセスポイントから分離された状態で動作中である移動アクセスポイント３０８が、アクセスポイント３０２、３０４及び３０６のカバレッジエリアに入る。アクセスポイント３０２、３０４及び３０６は、ＢＳＣ及びＭＳＣのサポートを有するため、アクセスポイント３０８のＢＳＣ及びＭＳＣの機能はもはや必要ではないことがあり、アクセスポイント３０８は、１つ以上のアクセスポイント３０２、３０４及び３０６のＢＳＣ及びＭＳＣを用いることができる。しかしながら、移動中のアクセスポイント３０８がアクセスポイント３０２、３０４及び３０６のカバレッジエリアから出てその結果その他のアクセスポイントから分離された時点で、アクセスポイント３０８をＵＥのサポートのみに用いることができる。移動アクセスポイント３０８は設計されるネットワークの一部ではないため、アクセスポイント３０８の物理的位置は、ＢＳＣ及びＭＳＣの機能を用いるかどうかを判断時に決定することができる。
【００３０】
幾つかの側面においては、ＵＥ又は同様のデバイスを有する陸上用車両、例えば乗用車、が、アクセスポイントの周囲３６０°又は可能な限り３６０°に近いパターンでアクセスポイントによって送信中の信号を受信するために移動することによってアクセスポイント信号によって網羅されるエリア内を走行する。ＵＥによって受信された信号に関する情報は、ＵＥによって格納されるか又は例えばラップトップコンピュータの一部であることができるメモリデバイスに対してＵＥから渡すことができる。ＵＥは、ＵＥに知られている幾つかの位置の各々における受信信号の位相を決定し、ここで、これらの位置に関するＵＥの知識は、［１］例えば全地球測位システム（ＧＰＳ）、グローバルナビゲーション衛星システム（ＧＬＯＮＡＳＳ）及びガリレオ測位システムの衛星と関連づけられた測定値を用いることによる衛星に基づくジオロケーション技法又は［２］慣性航法を用いることによって決定することができ、該測定技法の各々は、ＵＥ内に実装することができる。その後は、ＵＥは、これらの決定された位相を用いて、幾つかの位置の各々におけるＵＥから信号を送信中のアクセスポイントまでの距離を決定する。その結果、アクセスポイントの位置は、決定された距離を用いる三角測量又は同様の方法によって決定することができる。
【００３１】
幾つかの側面においては、ＵＥ等のデバイスを有する飛行体、例えば飛行機、が、アクセスポイントの周囲３６０°又は可能な限り３６０°に近いパターンでアクセスポイントによって送信中の信号を受信するためにアクセスポイント信号によって網羅されるエリア内を旋回する。ＵＥによって受信された信号に関する情報は、ＵＥによって格納されるか又は格納を目的としてＵＥからメモリデバイスに渡すことができる。ＵＥは、ＵＥに知られている幾つかの位置の各々における受信信号の位相を決定し、その後に、ＵＥは、これらの決定された位相を用いて、幾つかの位置の各々におけるＵＥから信号を送信中のアクセスポイントまでの距離を決定する。その結果、アクセスポイントの位置は、決定された距離を用いて三角測量又は同様の方法によって決定することができる。アクセスポイントによって送信された信号に関する情報を収集するために飛行体を用いることによって、アクセスポイントの位置を決定するために必要な情報を、自動車等の地上車両による情報収集よりもはるかに速く取得することができる。さらに、高速で移動する無線通信カバレッジに関する要求をサポートするために１つ以上のアクセスポイントが急速に移動中である展開においては、陸上車両は通信要求をサポートする上での十分な速度で該当情報を提供することはできない可能性がある。
【００３２】
幾つかの側面においては、アクセスポイントの位置を決定することは、ＵＥのＧＳＰ機能を利用することによって達成させることができる。幾つかの側面においては、アクセスポイントの位置は、ＵＥに関して決定される。ＧＰＳ情報を収集するＵＥの場合は、ＧＰＳ情報は、受信された信号情報とともに格納される。幾つかの側面においては、ＵＥによって提供されるＧＰＳ位置は作図することができ及び幾つかの作図された地点の各々におけるアクセスポイントによって送信された信号の位相を用いてアクセスポイントの位置を決定することができる。
【００３３】
幾つかの側面においては、無線通信ネットワークは、符号分割多元接続（ＣＤＭＡ）を無線信号技術として用いることができる。ＣＤＭＡ通信ネットワークにおける各アクセスポイントは、一意の疑似雑音（ＰＮ）符号を有するＣＤＭＡ信号を送信する。特定のＣＤＭＡアクセスポイントによって送信された信号の位相は、ＰＮからの情報を用いて決定される。
【００３４】
ＣＤＭＡネットワーク運営者は、米国における拡大された９１１サービスの要求をサポートするために、ＵＥに基づくＧＰＳ測定をＵＥ及びネットワークに基づく測定と結合させるハイブリッド位置特定解決方法を実装している。この解決方法の一例は、ｇｐｓＯｎｅ（登録商標）と呼ばれる。ｇｐｓＯｎｅによって用いられるネットワークに基づく測定機構は、高度順方向リンク三辺測量（ＡＦＬＴ）である。ＡＦＬＴ能力を備えたＵＥは、ＡＦＬＴ能力を備えないＵＥによるパイロット位相測定よりも最高８倍の精度の分解能のアクセスポイントのパイロット信号の位相測定値を提供すること、及び、ＡＦＬＴ能力を備えないＵＥによって典型的に行われるよりも多い数のパイロットの位相測定値を提供することができる。ＵＥによって提供されるｇｐｓＯｎｅ測定は、ＵＥがパイロット信号を検出できる対象であるアクセスポイントのＵＥに基づくＧＰＳ測定値とＵＥに基づくパイロット位相測定値とを備えることができ、ネットワークエンティティ又はノードに提供され、ネットワークエンティティ又はノードは、パイロット位相測定値を距離測定値に変換し、ＧＰＳ測定値及びパイロット位相測定値の順位を設定するアルゴリズムを用いてＧＰＳ及びネットワークのパイロット位相測定値を結合することによってＵＥ位置を計算する。
【００３５】
幾つかの側面においては、ＣＤＭＡネットワーク内のアクセスポイントは、ＧＰＳ信号を受信する。アクセスポイントが該当するＧＰＳ信号を受信した場合は、これらのＧＰＳ信号からアクセスポイントの位置を導き出すことができる。しかしながら、アクセスポイントが自己の位置を導き出すために必要なＧＰＳ信号を受信できない環境が存在する。これは、１つ以上のアクセスポイントを迅速に展開させる必要があってアクセスポイントに関する可能な展開可能位置を解析するために時間が最も重要である環境、及びアクセスポイント位置の急速な変化と関連する展開又はアクセスポイント位置の独立した決定、検証又は決定と検証の両方を行うことが必要になる展開を要求する環境に当てはまる。アクセスポイントが適切な数よりも少ない数のＧＰＳ衛星信号を受信した場合は、アクセスポイントによって受信されたＧＰＳ情報を、ＵＥにおいて受信された信号の位相から導き出された距離情報とともに用いてアクセスポイントの位置を決定することができ、又はＵＥに基づく位相測定値を用いてアクセスポイント位置を独立して決定することができる。
【００３６】
図４に関して、多元接続無線通信ネットワークが示される。アクセスポイント４０２は、高速応答通信サポートを提供することを目的として展開される移動アクセスポイントである。アクセスポイントの位置に関する知識は、アクセスポイントによって提供される通信サービスのエリアを決定するために要求されることがある。ＵＥ４０８は、アクセスポイント４０２によって送信されたパイロット信号４１０を受信する。ＵＥ４０８は、限定されることなしに位置４１８、４２０及び４２４を含む複数の位置におけるパイロット信号４１０の位相を記録する。各位置におけるパイロット信号４１０の位相は、各位置からアクセスポイント４０２までの距離を決定するために用いられる。位置４１８、４２０及び４２４及び各位置からアクセスポイント４０２までの距離４２６、４２８及び４３０を知ることによって、ＵＥ４０８は、アクセスポイント４０２の位置を計算することができる。
【００３７】
幾つかの側面においては、ＵＥ４０８は、アクセスポイント４０２、４０４及び４０６からパイロット信号を受信する。位置４１８、４２０及び４２２におけるアクセスポイント４０４からのパイロット信号４１２の位相を用いることで、これらの位置からアクセスポイントまでの距離４３２，４３４及び４３６が決定される。位置４１８、４２０及び４２２、及び該位置からアクセスポイント４０４までの距離４３２、４３４及び４３６を知ることによって、ＵＥ４０８は、アクセスポイント４０４の位置を決定することができる。アクセスポイント４０６の位置を決定するために同様のプロセスが用いられる。アクセスポイント４０６から送信されたパイロット信号４１６の位相は、位置４２０、４２２及び４２４の各々において測定される。位置４２０、４２２及び４２４の各々において測定されたパイロット信号４１６の位相は、該位置からアクセスポイント４０６までの距離４３８、４４０及び４４２を決定するために用いられる。位置及び対応する距離を知ることによって、ＵＥ４０８は、アクセスポイント４０６の位置を決定することができる。位置４１８、４２０及び４２２と関連づけられた距離測定値は、よく知られた三角測量法を用いて位相測定の対象となるアクセスポイントの位置を決定するために要求される複数の測定値を示す。
【００３８】
一側面においては、ＵＥ４０８は、アクセスポイント４０２からパイロット信号４１０を受信する。ＵＥ４０８は、既知の位置４１８、４２０、及び４３０におけるパイロット４１０の位相を測定する。測定されたパイロット信号及びＧＰＳ信号からの情報を用いることで、ＡＦＴＬに関して用いられるのと同じアルゴリズムを用いてアクセスポイント４０２の位置を決定することができる。この方法は、図４に示されるようなアクセスポイント４０２、４０４及び４０６、等の複数のアクセスポイントの位置を決定時に適用することができる。
【００３９】
図５は、インフラストラクチャアクセスポイント５０４及び様々な開示される側面を実装することができる通信デバイス５０６を示した単純化されたブロック図例である。特定のメディア通信に関して、インフラストラクチャアクセスポイント５０４と通信デバイス５０６との間においてエアインタフェース５０８を介して音声、データ、パケットデータ、及び／又は警告メッセージを交換することができる。様々なタイプのメッセージを送信することができる。例えば、該メッセージは、アクセスポイントと通信デバイスとの間の通信セッションを確立するために用いられるメッセージと、登録及びページングメッセージと、データ送信を制御するために用いられるメッセージ（例えば、電力制御、データレート情報、肯定応答）と、を備える。これらのメッセージタイプの一部が以下においてさらに詳細に説明される。
【００４０】
逆方向リンクに関して、通信デバイス５０６において、（例えば、データソース５１０からの）音声及び／又はパケットデータ及び（例えば、コントローラ５３０からの）メッセージは、送信（ＴＸ）データプロセッサ５１２に提供され、送信（ＴＸ）データプロセッサ５１２は、１つ以上のコーディング方式を用いてデータ及びメッセージをフォーマット化及び符号化してコーディングされたデータを生成する。各コーディング方式は、巡回冗長性検査（ＣＲＣ）、畳み込み、ターボ、ブロック、及びその他のコーディングのあらゆる組み合わせを含むこと、又はコーディングをまったく含まないことができる。音声、パケットデータ、及びメッセージは、異なる方式を用いてコーディングすることができ、及び異なるタイプのメッセージを異なる形でコーディングすることができる。
【００４１】
コーディングされたデータは、変調器（ＭＯＤ）５１４に提供されてさらに処理される（例えば、カバーされ、短ＰＮ系列によって拡散され、及び通信デバイスに割り当てられた長ＰＮ系列を用いてスクランブリングされる）。次に、変調されたデータは、送信機ユニット（ＴＭＴＲ）５１６に提供されてコンディショニング（例えば、１つ以上のアナログ信号に変換、増幅、フィルタリング、及び直交変調）されて逆方向リンク信号が生成される。逆方向リンク信号は、デュプレクサ（Ｄ）５１８を通じてルーティングされ、アンテナ５２０を介してインフラストラクチャアクセスポイント５０４に送信される。
【００４２】
インフラストラクチャアクセスポイント５０４において、逆方向リンク信号は、アンテナ５５０によって受信され、デュプレクサ５５２を通じてルーティングされ、受信機ユニット（ＲＣＶＲ）５５４に提供される。代替として、アンテナは、無線オペレータネットワークの一部であることができ、アンテナとＢＳ／ＢＳＣとの間の接続は、インターネットを通じてルーティングすることができる。インフラストラクチャアクセスポイント５０４は、メディア情報及び警告メッセージを通信デバイス５０６から受信することができる。受信機ユニット５５４は、受信された信号をコンディショニング（例えば、フィルタリング、増幅、ダウンコンバージョン、及びデジタル化）してサンプルを提供する。復調器（ＤＥＭＯＤ）５５６は、これらのサンプルを受けとって処理（例えば、逆拡散、デカバー、及びパイロット復調）して復元されたシンボルを提供する。復調器５５６は、受信された信号の複数のインスタンスを処理して結合されたシンボルを生成するレーク受信機を実装することができる。次に、受信（ＲＸ）データプロセッサ５５８は、シンボルを復号し、逆方向リンクにおいて送信されたデータ及びメッセージを復元する。復元された音声／パケットデータはデータシンク５６０に提供され、復元されたメッセージはコントローラ５７０に提供することができる。コントローラ５７０は、情報を受信及び送信し、メッセージへの応答を受信及び送信し、インフラストラクチャ資源の利用可能性、能力、位置、及び／又は存在を特定し、インフラストラクチャアクセスポイントの位置を特定し、インフラストラクチャ資源のタイプを決定し、ネットワークパラメータを再構成し、その他のアクセスポイントから受信された順方向リンク通信に基づいてネットワークパラメータを決定し、その他のアクセスポイントから受信されたネットワークパラメータに基づいて動作条件を調整し、及びインフラストラクチャ資源を復元するための命令を含むことができる。復調器５５６及びＲＸデータプロセッサ５５８による処理は、遠隔アクセスデバイス５０６において行われる処理を補完するものである。復調器５５６及びＲＸデータプロセッサ５５８は、複数のチャネル、例えばリバース基本チャネル（Ｒ−ＦＣＨ）及びリバース補助チャネル（Ｒ−ＳＣＨ）を介して受信された複数の送信を処理するためにさらに動作させることができる。さらに、送信は、複数の通信デバイスから同時に行うことができ、これらの通信デバイスの各々は、リバース基本チャネル、リバース補助チャネル、又は両方において送信中であることができる。
【００４３】
順方向リンクにおいては、インフラストラクチャアクセスポイント５０４において、（例えば、データソース５６２からの）音声及び／又はパケットデータ及び（例えば、コントローラ５７０からの）メッセージが、送信（ＴＸ）データプロセッサ５６４によって処理（例えば、フォーマット化及び符号化）され、変調器（ＭＯＤ）５６６によってさらに処理（例えば、カバー及び拡散）され、その後に送信機ユニット（ＴＭＴＲ）５６８によってコンディショニング（例えば、アナログ信号への変換、増幅、フィルタリング、及び直交変調）されて順方向リンク信号を生成する。順方向リンク信号は、デュプレクサ５５２を通じてルーティングされてアンテナ５５０を介して遠隔アクセスデバイス５０６に送信される。順方向リンク信号は、ページング信号を含む。
【００４４】
通信デバイス５０６において、順方向リンク信号は、アンテナ５２０によって受信され、デュプレクサ５１８を通じてルーティングされ、受信機ユニット５２２に提供される。受信機ユニット５２２は、受信された信号をコンディショニング（例えば、ダウンコンバージョン、フィルタリング、増幅、直交変調、及びデジタル化）し及びサンプルを提供する。これらのサンプルは、復調器５２４によって処理（例えば、逆拡散、デカバー、及びパイロット復調）されてシンボルが提供され、これらのシンボルは受信データプロセッサ５２６によってさらに処理（例えば、復号及び検査）され、順方向リンクにおいて送信されたデータ及びメッセージが復元される。復元されたデータは、データシンク５２８に提供され、復元されたメッセージは、プロセッサ５３０に提供することができる。コントローラ５３０は、情報を受信及び送信し、メッセージへの応答を受信及び送信し、インフラストラクチャ資源の利用可能性、能力、位置、及び／又は存在を特定し、インフラストラクチャアクセスポイントの位置を特定し、インフラストラクチャ資源のタイプを決定し、ネットワークパラメータを再構成し、その他のアクセスポイントから受信された順方向リンク通信に基づいてネットワークパラメータを決定し、その他のアクセスポイントから受信されたネットワークパラメータに基づいて動作条件を調整し、及びインフラストラクチャ資源を復元するための命令を含むことができる。
【００４５】
図６に関して、無線通信ネットワークと関連づけられたアクセスポイントの位置を特定するための方法を示す機能ブロック図６００が示される。６０２においてアクセスポイントによって送信された信号が受信される。次に、６０４において複数の位置の各々における信号の位相が決定され、その後、６０６においてアクセスポイントの位置が信号の決定された位相に基づいて決定される。
【００４６】
図７に関して、無線通信ネットワークと関連づけられたアクセスポイントの位置を決定するための装置例を示す機能ブロック図７００が示される。装置７００は、アクセスポイントによって送信された信号を受信するための集積回路７０２と、複数の位置の各々における信号の位相を決定するための集積回路７０４と、信号の決定された位相に基づいてアクセスポイントの位置を決定するための集積回路７０６と、を備える。１つの集積回路は、３つのすべての集積回路７０２、７０４及び７０６の機能を備えることができる。
【００４７】
デバイス又は装置は、他のデバイスとの通信を容易にする様々な構成要素を備えることができる。例えば、デバイスは、無線媒体を通じての通信を容易にする様々な構成要素（例えば、信号生成器及び信号プロセッサ）を含む関連づけられた送信機構成要素及び受信機構成要素を有するトランシーバ（例えば、ラジオ）を備えることができる。
【００４８】
デバイスは、様々な無線物理層方式を採用することができる。例えば、物理層は、何らかの形態のＣＤＭＡ、ＴＤＭＡ、ＯＦＤＭ、ＯＦＤＭＡ、又はその他の変調及び多重化方式を利用することができる。
【００４９】
情報及び信号は、様々な異なる技術及び技法のうちのいずれかを用いて表すことができることを当業者は理解するであろう。例えば、上記の説明全体を通じて言及されることがあるデータ、命令、コマンド、情報、信号、ビット、シンボル、及びチップは、電圧、電流、電磁波、磁場、磁気粒子、光学場、光学粒子、又はそのいずれかの組合せを用いて表すことができる。
【００５０】
ここにおいて開示される側面に関係させて説明される様々な例示的論理ブロック、モジュール、プロセッサ、手段、回路、及びアルゴリズム上のステップは、電子ハードウェア（例えば、ソースコーディング又はその他の何らかの技法を用いて設計することができるデジタル実装、アナログ実装、又はこれらの２つの組合せ）、（ここにおいては便宜上“ソフトウェア”又は“ソフトウェアモジュール”と呼ぶことができる）命令を組み込んだ様々な形態のプログラム又は設計コード、又は両方の組合せとして実装できることを当業者はさらに明確に理解するであろう。ハードウェアとソフトウェアのこの互換性を明確に例示するため、上記においては、様々な例示的構成要素、ブロック、モジュール、回路、及びステップが、各々の機能の観点で一般的に説明されている。該機能がハードウェアとして又はソフトウェアとして実装されるかは、全体的システムに対する特定の用途上の及び設計上の制約事項に依存する。当業者は、説明されている機能を各々の特定の用途に合わせて様々な形で実装することができるが、これらの実装決定は、本開示の適用範囲からの逸脱を生じさせるものであるとは解釈すべきではない。  
ここにおいて開示される側面と関係させて説明される様々な例示的な論理ブロック、モジュール、及び回路は、集積回路（“ＩＣ”）又はアクセス端末内において実装すること又は集積回路（“ＩＣ”）又はアクセス端末によって実行することができる。ＩＣは、ここにおいて説明される機能を果たすように設計された汎用プロセッサ、デジタル信号プロセッサ（ＤＳＰ）、特定用途向け集積回路（ＡＳＩＣ）、フィールドプログラマブルゲートアレイ（ＦＰＧＡ）、その他のプログラミング可能な論理デバイス、ディスクリートゲートロジック、ディスクリートトランジスタロジック、ディスクリートハードウェア構成要素、電気的構成要素、光学的構成要素、機械的構成要素、又はそのあらゆる組合せ、を備えることができ、さらに、ＩＣ内、ＩＣ外、又はその両方に常駐する符号又は命令を実行することができる。汎用プロセッサはマイクロプロセッサであることができるが、代替として、従来のどのようなプロセッサ、コントローラ、マイクロコントローラ、又はステートマシンであってもよい。さらに、プロセッサは、計算装置の組合せ、例えば、ＤＳＰと、１つのマイクロプロセッサとの組合せ、複数のマイクロプロセッサとの組合せ、ＤＳＰコアと関連する1つ以上のマイクロプロセッサとの組合せ、又はその他のあらゆる該コンフィギュレーションとの組合せ、として実装することもできる。
【００５１】
開示されるプロセスにおけるステップの特定の順序又は階層は、１つの手法見本例であることが理解される。設計上の選好に基づき、プロセスにおけるステップの特定の順序又は階層は、本開示の適用範囲内にとどまりつつ変更できることが理解される。添付された方法請求項は、様々なステップの要素を１つの順序例において提示するものであり、提示された特定の順序又は階層に限定されることは意味しない。
【００５２】
上述されるように、ここにおいて開示される側面に関係させて説明される方法又はアルゴリズムのステップは、ハードウェア内において直接具現化させること、プロセッサによって実行されるソフトウェアモジュール内において具現化させること、又はこれらの２つの組合せにおいて具現化させることができる。（例えば、実行可能な命令及び関連データを含む）ソフトウェアモジュール及びその他のデータは、記憶媒体（例えば、データメモリ）、例えば、ＲＡＭメモリ、フラッシュメモリ、ＲＯＭメモリ、ＥＰＲＯＭメモリ、ＥＥＰＲＯＭメモリ、レジスタ、ハードディスク、取り外し可能なディスク、ＣＤ−ＲＯＭ、又は当業において既知であるその他のあらゆる形態のコンピュータによって読み取り可能な記憶媒体において常駐することができる。記憶媒体例は、機械、例えば（ここにおいては便宜上“プロセッサ”と呼ぶことができる）コンピュータ／プロセッサ、に結合させ、プロセッサが記憶媒体から情報を読み出すようにすること及び記憶媒体に情報（例えば、符号）を書き込むようにすることができる。記憶媒体例は、プロセッサと一体化させることができる。プロセッサ及び記憶媒体は、ＡＳＩＣ内に常駐することができる。ＡＳＩＣは、ユーザー装置内に常駐することができる。代替として、プロセッサ及び記憶媒体は、ユーザー装置内において個別構成要素として常駐することができる。さらに、幾つかの側面においては、適切なコンピュータプログラム製品は、本開示の側面のうちの１つ以上に関連する（例えば、少なくとも１つのコンピュータによって実行可能な）符号を備えるコンピュータによって読み取り可能な媒体を備えることができる。幾つかの側面においては、コンピュータプログラム製品は、パッケージ材料を備えることができる。
【００５３】
開示される側面に関する上記の説明は、当業者が本開示を製造又は使用できるようにすることを目的とするものである。これらの側面に対する様々な修正は、当業者にとって容易に明確になるであろう。さらに、本明細書において定められている一般原理は、この開示の適用範囲を逸脱しない形でその他の側面に対しても適用することができる。以上のように、本開示は、ここにおいて示される側面に限定されることが意図されるものではなく、ここにおいて開示される原理及び斬新な特徴に一致する限りにおいて最も広範な適用範囲が認められるべきである。
【図１】
2010523055.tif 000003
【図２】
2010523055.tif 000004
【図３】
2010523055.tif 000005
【図４】
2010523055.tif 000006
【図５】
2010523055.tif 000007
【図６】
2010523055.tif 000008
【図７】
2010523055.tif 000009
【国際調査報告】
2010523055.tif 000010
2010523055.tif 000011
2010523055.tif 000012